【事件の表示】
　特願２００５−　７０１９３「ゴルフボール用材料」拒絶査定不服審判事件〔平成１８年　９月２１日出願公開、特開２００６−２４７２２４〕について、次のとおり審決する。
【結　論】
　本件審判の請求は、成り立たない。
【理　由】
第１　手続の経緯
　本願は、平成１７年３月１４日の出願であって、同年４月６日付け及び平成２２年６月２５日付けで手続補正がなされ、同年７月２１日付けで拒絶査定がなされ、これに対して、同年１０月２８日付けで拒絶査定不服審判の請求がなされ、その請求と同時に手続補正がなされたものである。
　
第２　本願発明
　本願の請求項１ないし７に係る発明は、平成２２年１０月２８日付けの手続補正により補正された明細書、特許請求の範囲及び図面の記載からみて、特許請求の範囲の請求項１ないし７にそれぞれ記載された事項によって特定されるものと認められるところ、その請求項１に係る発明（以下「本願発明」という。）は、次のとおりのものである。
　
「ワンピースゴルフボール、又は、コアとコアを被覆する１層又は複数層のカバーとを具備してなるゴルフボールの何れかの構成部材を形成するゴルフボール用材料であって、生分解性化合物と、熱可塑性樹脂、熱可塑性弾性体、及び熱硬化性樹脂よりなる群から選択された１種又は２種以上とを含有し、かつ上記（生分解性化合物）／（熱可塑性樹脂、熱可塑性弾性体及び／又は熱硬化性樹脂の総量）の配合割合が８０／２０〜２０／８０（質量比）の生分解性材料であることを特徴とするゴルフボール用材料。」
　
第３　引用刊行物
　原査定の拒絶の理由に引用された、本願の出願前に頒布された刊行物である特開２００３−１１９４０２号公報（以下「引用例」という。）には、次の事項が記載されている（下線は審決で付した。以下同じ。）。
　
１　「【請求項１】  下記成分：
（ａ）極性基を有する熱可塑性エラストマー  １００重量部、および（ｂ）エチレンと（メタ）アクリル酸またはその塩との共重合体
０．０１〜２０重量部を含む
熱可塑性樹脂組成物
【請求項２】  
成分（ａ）が
脂肪族系ポリエステル
である
請求項１記載の熱可塑性樹脂組成物
　
２　「【０００８】
【発明の実施の形態】本発明の熱可塑性樹脂の各成分について、以下に説明する。
成分（ａ）：極性基を有する熱可塑性エラストマー
本発明の組成物に用いられる成分（ａ）は、分子構造内に極性基を有するものであればいかなるものでもよいが、なかでも、ポリエーテルエステルアミド系樹脂、ポリエステル系エラストマー、
脂肪族系ポリエステル
…（略）…
【００１３】（ａ−３）：脂肪族系ポリエステル
本発明の（ａ−３）成分である
脂肪族系ポリエステルは、生分解性として一般的に市販されているものを用いる
　
３　「【００２８】成分（ｂ）：エチレンと（メタ）アクリル酸またはその塩との共重合体および環状イミノエーテル化合物
成分（ｂ）としては、以下に説明するエチレンと（メタ）アクリル酸またはその塩との共重合体および環状イミノエーテル化合物の両方またはいずれか一方を使用することができる。
【００２９】（ｂ−１）：エチレンと（メタ）アクリル酸またはその塩との共重合体
本発明におけるエチレンと（メタ）アクリル酸またはその塩との共重合体は、エチレンと一般式（Ｉ）：
【００３０】
【化１】
　　　　　ＣＨ2＝Ｃ（Ｒ1）−ＣＯＯＭ                  （Ｉ）
【００３１】［式中、Ｒ1は水素又はメチル基を表し、ＭはＬｉ、Ｎａ、Ｋ、Ｚｎ、Ｍｇ、Ａｇ、Ｃｕ、Ｃａ、Ｂａ、Ｆｅなどの金属、炭素数１〜１０個のアルキル基又は水素を表す。］で表される単量体との共重合体である。上記一般式（Ｉ）で表される単量体としては、メタクリル酸金属塩、アクリル酸金属塩、メタクリル酸エステル、アクリル酸エステル、メタクリル酸、アクリル酸等が挙げられる。中でもメタクリル酸金属塩が好ましい。この共重合体は、高い反発弾性率を持つイオン架橋結合を有するイオン性共重合体であって、具体的にはエチレンとアクリル酸又はメタクリル酸の如き不飽和有機酸との共重合体であり、カルボキシル基の全部又は一部が金属イオンにより中和又は架橋されているものが良い。一般式（Ｉ）におけるＭは、好ましくはＮａ、Ｚｎである。
【００３２】エチレンとの共重合体において、上記単量体は、３〜２０重量％、特に４〜１５重量％を占めることが好ましい。特に、メタクリル酸金属塩含量が３〜２０重量％、特に４〜１５重量％のエチレン−メタクリル酸金属塩共重合体が好ましい。上記単量体が３重量％未満では、得られる組成物中に単量体が充分に分散しないという問題点があり、２０重量％を超えると必要な反発弾性が得られない。また、上記共重合体は、０．５〜１５ｇ／１０分のメルトフローレート（ＪＩＳＫ ６７６０に準処し、温度１９０℃、荷重２１６０ｇで測定）を有することが好ましい。ここで必要に応じて、エチレン−酢酸ビニル共重合体、エチレン−α−オレフィン共重合体を配合することができ、３種以上の樹脂の混合物を用いることもできる。」
　
４　「【００６４】
本発明の熱可塑性樹脂組成物は
ゴルフボール
などに好適に使用することができる
　
５　上記１ないし４から、引用例には、次の発明（以下「引用発明」という。）が記載されていると認められる。
　
「生分解性として一般的に市販されている脂肪族系ポリエステル１００重量部と、エチレンと（メタ）アクリル酸またはその塩との共重合体０．０１〜２０重量部とを含み、ゴルフボールなどに好適に使用することができる熱可塑性樹脂組成物。」
　
第４　対比
　本願発明と引用発明とを対比する。
１　引用発明の「ゴルフボールなどに好適に使用することができる熱可塑性樹脂組成物」及び「生分解性として一般的に市販されている脂肪族系ポリエステル」は、それぞれ、本願発明の「ゴルフボールの何れかの構成部材を形成するゴルフボール用材料」及び「生分解性化合物」に相当する。
　
２　ゴルフボールは、通常、ワンピースゴルフボールと、コアとコアを被覆する１層又は複数層のカバーとを具備してなるマルチピースゴルフボールとのいずれかに分類できることは、当業者に自明であるから、引用発明の「ゴルフボール」は、本願発明の「ワンピースゴルフボール、又は、コアとコアを被覆する１層又は複数層のカバーとを具備してなるゴルフボール」に相当するといえる。
　
３　エチレンと（メタ）アクリル酸またはその塩との共重合体は、熱可塑性樹脂である（特開２００３−２８５３５９号公報の【００２６】参照。）から、引用発明の「エチレンと（メタ）アクリル酸またはその塩との共重合体」は、本願発明の「熱可塑性樹脂、熱可塑性弾性体、及び熱硬化性樹脂よりなる群から選択された１種又は２種以上」に相当する。
　
４　引用発明の「ゴルフボール用材料（ゴルフボールなどに好適に使用することができる熱可塑性樹脂組成物）」は、「生分解性化合物（生分解性として一般的に市販されている脂肪族系ポリエステル）」を配合してなるものであるから、本願発明の「生分解性材料」に相当する。
　
５　上記１ないし４から、本願発明と引用発明とは、
「ワンピースゴルフボール、又は、コアとコアを被覆する１層又は複数層のカバーとを具備してなるゴルフボールの何れかの構成部材を形成するゴルフボール用材料であって、生分解性化合物と、熱可塑性樹脂、熱可塑性弾性体、及び熱硬化性樹脂よりなる群から選択された１種又は２種以上とを含有した生分解性材料であるゴルフボール用材料。」
である点で一致し、次の点で相違する。
　
相違点：
　前記生分解性材料における生分解性化合物と熱可塑性樹脂、熱可塑性弾性体、及び熱硬化性樹脂よりなる群から選択された１種又は２種以上との配合割合（質量比）が、本願発明では、「８０／２０〜２０／８０」であるのに対して、引用発明では、１００／０．０１〜１００／２０である点。
　
第５　判断
　上記相違点について検討する。
１　ゴルフボール用カバー材料であって、所望の硬度を達成するために、エチレンと（メタ）アクリル酸の塩との共重合体（アイオノマー樹脂）とそれ以外の熱可塑性樹脂との配合割合（質量比）を８０／２０〜２０／８０としたものは、本願の出願前に周知である（以下「周知技術」という。例．特開平１０−２０１８８１号公報特に【００１０】ないし【００２６】、特開２０００−５１４００号公報特に【００２１】ないし【００３７】、【００４１】ないし【００４３】、特開２００３−５２８５３号公報特に【００３５】ないし【００４７】、【００５８】ないし【００６１】参照。）から、引用発明において、熱可塑性樹脂組成物を、所望の硬度を有するゴルフボール用カバー材料とするために、生分解性として一般的に市販されている脂肪族系ポリエステルと、エチレンと（メタ）アクリル酸の塩との共重合体（アイオノマー樹脂）との配合割合（質量比）を８０／２０〜２０／８０とし、上記相違点に係る本願発明の構成となすことは、当業者が周知技術に基づいて容易になし得た程度のことである。
　
２　効果について
　本願発明の奏する効果は、当業者が、引用発明の奏する効果及び周知技術の奏する効果から予測できた程度のものである。
　
３　まとめ
　したがって、本願発明は、当業者が、引用例に記載された発明及び周知技術に基づいて容易に発明をすることができたものである。
　
第６　むすび
　以上のとおり、本願発明は、当業者が、引用例に記載された発明及び周知技術に基づいて容易に発明をすることができたものであるから、特許法第２９条第２項の規定により特許を受けることができない。
　よって、結論のとおり審決する。